(57)【要約】【課題】靴、帽子、ボタン孔などを利用して着脱可能なアクサせり。【解決手段】アクセサリ本体としてのマーカー１、台座２、3以上の取付脚３からなり、靴の紐孔、帽子の空気抜き孔或は衣服のボタン孔などの孔部１０に取付脚を挿通して、その付け根部まで挿通して台座を孔部に密着させ、次いで取り付け脚を展開して１８０度屈曲することにより固定する。  マーカーとして模造宝石や花或は幾何模様のデザインなど任意の形象を採用することができる。取付脚の材質として繰り返し屈曲に耐えるニッケル銅合金やステンレスなどが適し、扁平な断面形状とすることにより、安定した状態で取り付けることができる。【選択図】図１
2006333891.tif 000002
【特許請求の範囲】
【請求項１】
マーカー、台座、２以上の取付脚からなり、マーカーを固定した台座の下端側に取付脚を延長して形成すると共に該取付脚を展開して折り曲げ可能にしてなることを特徴とするアクセサリ。
【請求項２】
上記取付脚の断面形状が偏平であることを特徴とする請求項1記載のアクセサリ。
【請求項３】
上記台座と取付脚とを一体の板材から形成してなることを特徴とする請求項1乃至２記載のアクセサリ。
【請求項４】
上記マーカーが台座にカシメ、接着又は巻き締められて固定されてなることを特徴とする請求項1乃至３記載のアクセサリ。
【発明の詳細な説明】
【技術分野】
【０００１】
本発明は、靴、帽子、衣服など身の回りのものなどに任意に着脱可能に取り付けることができる装飾品に関する。
【背景技術】
【０００２】
衣服や帽子、或は靴など、さらには身の回りの物品にアクセントを付けるために種々の装飾品を取り付けることは広く行なわれている。
宝石様のカットを施したデザインのものをピンで衣服の襟に止めたり、帽子に花飾りのようなデザインのアクセサリを安全ピンで留めるなどすると、本来のデザインに加えて自分の好みのデザインでアクセントを強調し、個性を演出する効果が発揮できる。
このような目的で、宝石や花、或は幾何学的模様など各種のデザインのアクセサリが市販されている。
【０００３】
これらの各種のアクセサリを衣服や帽子、靴などに取り付けるにはピンなどの取付具が必要であり、このためピンや安全ピンが一般に使用され、これらのアクセサリはこのような取付具と一体に形成された構造とされている。
したがって、これらのアクセサリを取り付けるには、そのピンを対象物に刺し通して、ピンの場合は刺し通してから曲げることによって固定するが、単に曲げた構造であるため、往々にして脱落しやすい。
【０００４】
このため脱落防止の観点から、安全ピンが適しているといえるが、ピンを刺し通してからフックに掛け止めする構造であるため、取り付けたアクセサリの方向が定まらず、ピンを軸としてその周りに回転して向きが変わるため最も好適な角度で取り付けた状態を維持することが難しく、折角のアクセサリの効果を十分に活かせない。
また、衣服のボタン孔などの予め設けられた孔を利用してとめる手段として、襟章や徽章などのように、装飾体・マーカーを取り付けた台の下側にネジを立設してこれらの孔にネジを挿通して、孔の反対側からナットで締結することも行なわれているが、ネジの軸の長さ分だけ突出した構造となるため、アクセサリを取り付けた上から押圧される場合、軸が身体に当たることは避けられない。特に、帽子の空気抜き孔や靴の紐孔などに適用して着用すると、上から押された場合などこれらの軸部が直接頭や足の甲などに当たってすこぶる苦痛を伴う結果となる。
これに対して、いわゆる面ファスナーによって取り付ける方法が採用されるが、面ファスナーは取付方向が一定に維持されるなど利点があるが、取り付ける対象物品に一対のファスナー部材の他方を予め設けておく必要があり、アクセサリ単体で自由に取り付けることができない。
【特許文献１】特開２００５−９５２２８号公報
【特許文献２】特開平１１−２９０１９６号公報
【発明の開示】
【発明が解決しようとする課題】
【０００５】
本発明は、これらの問題に対して、靴、衣服、或は帽子などに簡単に着脱可能であり、特に、これらに予め設けられた紐孔、ボタン孔、或は空気抜き孔などの孔を利用して留めることができる留め具手段を備えたアクセサリを提供する。
【課題を解決するための手段】
【０００６】
本発明は、アクセサリ本体となるマーカーを載置固定した台座底側に立設して設けられた２以上の屈曲可能な取付脚を備えたことを特徴とするアクセサリである。
取付脚の構造として屈曲可能とするためには、材質として金属が適しており、特に着脱を任意に行なうためにはニッケル−銅合金やオーステナイト系ステンレス鋼などが好適であり、またその形態として断面形状が扁平な板材が適している。
アクセサリ本体となるマーカーの種類や形態、形状については格別の制約はなく、台座上に載置固定できるものであれば宝石様のものや蝶、花などを象ったもの、或は幾何学的デザインなど任意の形状のもの、ガラスなどの鉱物質から木質、角・骨・貝など、或はプラスチックなど材質の別を問わない。
【発明の効果】
【０００７】
本発明のアクセサリは、靴、帽子、衣服のボタン孔など予め設けられた孔があれば、どのような対象に対しても簡単に取り付けることができ、状況に応じてさまざまなデザインのアクセサリを取り付けて装飾の目的に利用することができる。
【発明を実施するための最良の形態】
【０００８】
本発明のアクセサリは、マーカーとして任意のデザインを採用することができるが、宝石を象ったガラス製のものや造花、蝶、模様など種々の形象デザインを適用することができる。
台座は、美麗で耐食性があればよいが、マーカー及び取付脚を設ける都合上、マーカー固定手段及び取り付け足の固定若しくはその構造上種々の形態を採ることが可能である。
マーカーが宝石様の硬質の塊状の物体として取り扱うことができる場合、取り付け手段として、宝石の固定の同様に台座側に3以上固定爪を形成してカシメることにより固定する構造を採用することができる。この場合、台座はこれらのマーカーを嵌合すると共にその縁部にカシメ爪を突出して形成する構造とする。
あるいはマーカー底部を平面状としてこれを嵌合する構造の台座に嵌合・接着したり、或は両者ともに対応する面を扁平な形状として相互に接着して固定することができる。
このようにマーカーを嵌合したり、カシメ爪などを形成する場合には、台座は板材をプレスにより窪ませて成形しても良いが、板材を巻いて円錐状として窪んだ形状としてもよい。
板材を巻いて加工する場合には、台座周縁部にカシメ爪を予め形成するほか、後述するように固定脚を一体として延長した形状で形成することもできる。
【０００９】
このほか、マーカーの取り付け方法は、マーカーの材質、形態によって異なるが、プラスチック製のマーカーなどでは台座上に直接接着することができるが、布製や針金などを芯に成形したものなどは台座が金属製で直接固定することが困難であれば、予め台座上にこれらの材質のマーカーを縫い付けたり、接着するなどして固定できる材質、形状の中間固定台に接着するなどして予め取り付けても良い。
更に、カシメによる固定方法の変形として、マーカーの基部が芯材などで形成されている場合には、板材としての台座の素材で巻き締めて固定することも可能である。
【００１０】
取付脚の構造は、取り付ける孔に挿通可能な太さとするほか、孔に挿通してから一対の脚を展開するようにして屈曲させて固定するため、これらの繰り返し折り曲げによて脆化しない材質、折り曲げやすく、効果的に固定作用を発揮する形状が望まれる。
このような材質として、台座と同様に洋銀、ニッケル白銅、オーステナイト系ステンレス鋼などが適しており、またその形状として扁平な断面が好適である。
これらの取付脚はその用法からして台座に強固に固定する必要があり、台座と別体に形成した場合にはろう付けなどの手段で固定する。また、取付脚を台座と一体に形成する場合には、これら固定手段を必要としないため構造、製法とも簡単にできる。
【実施例１】
【００１１】
以下、図面を参照して本発明を具体的に説明する。
図１は、マーカーの基本的構造を示す斜視図で、（a）〜（c）は宝石を象ったデザインのガラスなどのマーカーを用いた例で、台座２を洋銀などの強度があり、ロウ付に適した材質の金属で作成し、一対の取付脚３をニッケルー銅合金などの折り曲げても脆化しない材質の薄板材で形成し、台座下端にロウ付４する。
マーカーは、台座の窪みに充填した接着材５によって固定し、アクセサリを完成する。
アクセサリを取り付けるに当たって、装飾する対象物品に形成されている孔部１０にこの取付脚を挿通し、取付脚付け根部まで通して台座と対象物品とを密着させてから、一対の脚を展開して（ｃ）ほぼ１８０度まで屈曲することによってアクセサリが抜けないように固定する。
マーカー１として、その他任意の形状の物とすることができ、台座の構造もマーカーが扁平な底部形状であれば台座上面側も扁平な形状の接着材・接着面４０として接着により固定することができる(d)〜（e）。
【００１２】
図２（a）〜（c）は、靴に本発明のアクセサリを適用した例で、これらの靴には一般に靴紐を通す孔６が設けられている。これらの孔は靴紐を通してもなお十分な大きさがあり、これらの孔に本発明のアクセサリAの脚部を挿通して、内側で一対の脚を展開して折り曲げることにより、任意の孔の位置にこれらのアクセサリを取り付けることができる。これらの靴紐の孔の内側には足の甲に当たるベロが丁度これらの裏当てとして設けられているため、本発明のアクセサリを取り付けても、足の甲とアクセサリの取付脚との間に介挿されるため、靴を履いて激しい運動をしても、これらの取付脚が足の甲を擦るなどして痛める虞はなく、またこれらのアクセサリがそのためにずれたり、緩んで外れたりすることはない。
【００１３】
図３は、帽子に本発明のアクセサリを適用した例で、帽子には通常着用しているときに蒸れるのを防ぐために空気抜きの孔７が設けられていることが一般であるが、これらの空気抜き孔を利用することにより、帽子の適宜の向きにアクセサリAを取り付けることができる。取り付けた状態において、取付脚は折り曲げられて偏平な形状となるため、帽子を被った状態で取付具が頭に当たって傷つける虞はなく、また安定した状態で保持することができる。
【００１４】
図４の例は、衣服のボタン孔８を利用して本発明のアクセサリAを取り付けた状態を示す。衣服のボタン孔を利用するため、その位置のボタンを留めることはできないが、該当する箇所のボタンを留めなくとも他のボタンにより留められて衣服が乱れることはなく、その位置のボタンはアクセサリが前面にあるため、外からは見えない。
また、この止具の特徴として回転することなく安定した向きで止めることができるが、ボタン孔は一般に細長いスリット状であることから、安定性が良いが、衣服に留める場合にはさらに止具の脚をこれらのボタン孔に合せて扁平な断面形状とすれば一層安定した状態で取り付けることができる。
【図面の簡単な説明】
【００１５】
【図１】本発明のアクセサリの構造を示す斜視図。
【図２】本発明のアクセサリを靴に適用した実施例。
【図３】本発明のアクセサリを帽子に適用した実施例。
【図４】本発明のアクセサリをシャツに適用した実施例。
【符号の説明】
【００１６】
１    マーカー
２    台座
３    取付足
４    ロウ付部
５    接着材
５０  接着面
６    紐孔
７    空気抜き孔
８    ボタン孔
A    アクセサリ
【図１】
2006333891.tif 000003
【図２】
2006333891.tif 000004
【図３】
2006333891.tif 000005
【図４】
2006333891.tif 000006